(57)【要約】【課題】デジタルカメラからの画像を画像表示装置に迅速に表示させる。【解決手段】デジタルカメラ（ＤＣ）３０で撮影された画像は、ファイルＩＤで順序付けられて画像ファイルとしてメモリ３４に記憶される。ＤＣ３０から画像表示の要求があると、画像表示装置４０では、表示が要求された画像のファイルＩＤをＤＣ３０から取得すると共にファイルＩＤをキーとして画像ファイルをＤＣ３０から取得して画像の表示処理を行なう。表示処理の後、取得した画像ファイルに対してファイルＩＤが前後の画像ファイルをＤＣ３０から取得してメモリ４４に記憶しておく。その後、ＤＣ３０から表示画像の変更が要求されたとき、画像表示装置４０では、変更に係る画像のファイルＩＤをＤＣ３０から取得し、取得したファイルＩＤに対応する画像ファイルがメモリ４４に記憶されているか否かを検索し、記憶されていればその画像ファイルに基づいて画像を表示する。【選択図】　　　　図１
2004147014.tif 000002
【特許請求の範囲】
【請求項１】
画像を入力して複数記憶可能な画像入力装置と画像を表示する画像表示装置とが所定の通信規格の通信インタフェースを介して接続されてなる画像表示システムであって、
（ａ）前記画像入力装置は、
前記記憶された複数の画像のうちのいずれかの画像の表示を前記画像表示装置に指示する画像表示指示手段と、
前記画像表示装置から画像ファイルの送信が指示されたとき、該指示された画像ファイルを前記画像表示装置に送信する画像ファイル送信手段と
を備え、
（ｂ）前記画像表示装置は、
前記画像入力装置の画像表示指示手段による画像の表示の指示を受け付ける画像表示指示受付手段と、
該指示が受け付けられたとき、少なくとも前記表示が指示された画像の画像ファイルの送信を前記画像入力装置に指示する画像ファイル送信指示手段と、
該指示に基づいて前記画像入力装置の画像ファイル送信手段により送信された画像ファイルを受信する画像ファイル受信手段と、
該受信された画像ファイルに基づいて画像の表示を実行する画像表示実行手段と
を備える
画像表示システム。
【請求項２】
請求項１記載の画像表示システムであって、
前記画像表示装置は、前記画像ファイル受信手段により受信された画像ファイルを複数記憶可能な画像ファイル記憶手段を備え、
前記画像表示装置の画像ファイル送信指示手段は、前記表示が指示された画像に対応する画像ファイルを含む複数の画像ファイルの送信を前記画像入力装置に指示する手段であり、
前記画像表示装置の画像表示実行手段は、前記表示が指示された画像に対応する画像ファイルが前記画像ファイル記憶手段に記憶されているときには該記憶された画像ファイルに基づいて画像の表示を実行し、前記表示が指示された画像に対応する画像ファイルが前記画像ファイル記憶手段に記憶されていないときには前記画像ファイル送信指示手段による送信の指示に基づいて前記画像ファイル受信手段により受信された画像ファイルに基づいて画像の表示を実行する手段である
画像表示システム。
【請求項３】
請求項２記載の画像表示システムであって、
前記画像入力装置に記憶された複数の画像は、順序付けられて記憶されてなり、
前記画像表示装置の画像ファイル送信指示手段は、前記表示が指示された画像に対応する画像ファイルの前または後の画像ファイルを該表示が指示された画像に対応する画像ファイルと共に送信するよう前記画像表示装置に指示する手段である
画像表示システム。
【請求項４】
請求項２または３記載の画像表示システムであって、
前記画像表示装置の画像ファイル送信指示手段は、前記表示が指示された画像に対応する画像ファイルを含む複数の画像ファイルのうちの少なくとも一部が前記画像ファイル記憶手段に記憶されているとき、該複数の画像ファイルの送信の指示に代えて該複数の画像ファイルのうち前記画像ファイル記憶手段に記憶されていない画像ファイルの送信を指示する手段である
画像表示システム。
【請求項５】
請求項２ないし４いずれか記載の画像表示システムであって、
前記画像表示装置の画像ファイル送信指示手段は、前記表示が指示された画像に対応する画像ファイルを含む複数の画像ファイルのうち、前記表示が指示された画像に対応する画像ファイルが、該画像ファイル以外の画像ファイルに優先して送信されるよう指示する手段である
画像表示システム。
【請求項６】
請求項２ないし５いずれか記載の画像表示システムであって、
前記画像表示装置の画像ファイル送信指示手段は、前記表示が指示された画像に対応する画像ファイルを含む複数の画像ファイルのうち、前記表示が指示された画像に対応する画像ファイル以外の画像ファイルが、前記画像表示実行手段により前記表示が指示された画像の表示の準備が整った後に送信されるよう指示する手段である
画像表示システム。
【請求項７】
請求項１ないし６いずれか記載の画像表示システムであって、
前記画像入力装置は、前記記憶された複数の画像をサムネイル画像として表示可能な画像表示装置と、該表示されたサムネイル画像を用いて前記画像表示装置に表示させる画像を選択可能な選択手段とを備える
画像表示システム。
【請求項８】
請求項１ないし７いずれか記載の画像表示システムであって、
前記画像入力装置は、画像を撮影により入力する撮影装置である
画像表示システム。
【請求項９】
請求項１ないし８いずれか記載の画像表示システムであって、
前記所定の通信規格の通信インタフェースは、一方が他方を従属的に制御するよう通信するインタフェースであり、
前記画像入力装置は、前記所定の通信規格に従って従属的に制御される側の従属側通信手段を備え、
前記画像表示装置は、前記所定の通信規格に従って従属的に制御する側の非従属側通信手段を備える
画像表示システム。
【請求項１０】
画像を入力して複数記憶可能な画像入力装置と画像を表示する画像表示装置とが所定の通信規格の通信インタフェースを介して接続されてなる画像表示システムにおける画像入力装置であって、
前記記憶された複数の画像のうちのいずれかの画像の表示を前記画像表示装置に指示する画像表示指示手段と、
前記表示の指示を受けると共に画像ファイルの送信を受けて画像の表示を実行する画像表示装置から少なくとも前記表示が指示された画像の画像ファイルの送信が指示されたとき、該指示された画像ファイルを前記画像表示装置に送信する画像ファイル送信手段と
を備える画像入力装置。
【請求項１１】
画像を入力して複数記憶可能な画像入力装置と画像を表示する画像表示装置とが所定の通信規格の通信インタフェースを介して接続されてなる画像表示システムにおける画像表示装置であって、
前記画像入力装置に記憶された複数の画像のうちのいずれかの画像の表示の指示を該画像入力装置から受け付ける画像表示指示受付手段と、
該指示が受け付けられたとき、少なくとも前記表示が指示された画像の画像ファイルの送信を前記画像入力装置に指示する画像ファイル送信指示手段と、
該指示に基づいて前記画像入力装置の画像ファイル送信手段により送信された画像ファイルを受信する画像ファイル受信手段と、
該受信された画像ファイルに基づいて画像の表示を実行する画像表示実行手段と
を備える画像表示装置。
【請求項１２】
画像を入力して複数記憶可能な画像入力装置と画像を表示する画像表示装置とが所定の通信規格の通信インタフェースを介して接続されてなる画像表示システムにおける前記画像表示装置による画像の表示を制御する画像表示の制御方法であって、
前記画像入力装置を、前記記憶された複数の画像のうちのいずれかの画像の表示が前記画像表示装置に指示され、前記画像表示装置から画像ファイルの送信が指示されたときに該送信が指示された画像ファイルが前記画像表示装置に送信されるよう制御し、
前記画像表示装置を、前記画像入力装置から画像の表示の指示が受け付けられ、該指示が受け付けられたときに少なくとも前記表示が指示された画像の画像ファイルの送信が前記画像入力装置に指示され、該指示に基づいて前記画像入力装置により送信された画像ファイルが受信されると共に該受信された画像ファイルに基づいて画像の表示が実行されるよう制御する
画像表示の制御方法。
【発明の詳細な説明】
【０００１】
【発明の属する技術分野】
本発明は、画像表示システムおよびこれに用いられる画像入力装置並びに画像表示装置、画像表示の制御方法に関し、詳しくは、画像を入力して複数記憶可能な画像入力装置と画像を表示する画像表示装置とが所定の通信規格の通信インタフェースを介して接続されてなる画像表示システムおよびこれに用いられる画像入力装置並びに画像表示装置、画像表示の制御方法に関する。
【０００２】
【従来の技術】
従来より、汎用のコンピュータと周辺機器とを接続する通信インタフェースとしてＵＳＢ（Ｕｎｉｖｅｒｓａｌ　Ｓｅｒｉａｌ　Ｂｕｓ）が知られている。このＵＳＢによりコンピュータと周辺機器とが接続されると、通常、コンピュータはホストとして機能して周辺機器を従属的に制御する。したがって、ＵＳＢをサポートするコンピュータはホストとして機能するためのホストコントローラを装備することになる。ＵＳＢの規格ではデバイスの機能毎にパーソナルコンピュータとのデータの送受信のフォーマットが定められており、デバイスクラスとして定義されている。このデバイスクラスとしては、ストレージクラスやＨＩＤクラス、ＳＴＩクラス、プリンタクラスなどがある。
【０００３】
こうしたＵＳＢを介してデジタルカメラとプリンタとをコンピュータを経由することなく直接接続するものが提案されている（特許文献１参照）。この技術では、ＵＳＢの規格に従ってプリンタにホストとしての機能をもたせてデジタルカメラをマスストレージクラスのデバイスとして接続するものとし、プリンタに設けられた操作パネルによる操作によってデジタルカメラに記憶されている画像をコンピュータを経由することなく、プリンタで印刷できるようにしている。
【０００４】
【特許文献１】
特開２００１−２９０６１２号公報（図１）
【０００５】
【発明が解決しようとする課題】
しかしながら、前述したように、ＵＳＢの規格ではコンピュータにホストとしての機能をもたせて周辺機器と接続することを前提としているから、ＵＳＢを用いてコンピュータ以外の機器同士を接続する場合には、いずれの機器をホストとして機能させるのが好ましいのかが問題となる。いま、デジタルカメラとプロジェクタなどの表示装置とをＵＳＢ接続してデジタルカメラに記録された画像ファイルを用いて表示装置で再生することを考える。このとき、操作性の向上を考慮すると、デジタルカメラ単独での再生操作を可能とするためにデジタルカメラにホストとしての機能を持たせることが好ましい。しかし、デジタルカメラの携帯性の向上を考慮すると、ホストからデバイスを制御するための大量のデバイスドライバを記憶するためのメモリ領域や大きな電流供給を必要とするホスト機能をデジタルカメラにもたせるのは現実的ではない。このため、デジタルカメラに記憶された画像ファイルをデジタルカメラ側からの操作により表示装置に表示させるためのシステムの構築が望まれている。
【０００６】
また、近年、デジタルカメラの性能の向上は著しく、撮影される画像は高画質化し、記録される画像の情報量も増大する傾向にある。このため、表示装置で画像を再生させる度にこの画像に対応する画像ファイルをデジタルカメラから送信させる手法では、画像ファイルの送信からイメージデータを生成して再生するまでの処理時間が長くなる。この結果、デジタルカメラ側から画像の再生を指示してからプロジェクタでその画像が再生されるまでに大きなタイムラグが生じてしまう。
【０００７】
本発明の画像表示システムおよびこれに用いられる画像入力装置並びに画像表示装置は、こうした問題を解決し、画像入力装置に入力された画像を所定の通信規格の通信インタフェースを介して接続された画像表示装置に表示させることを目的の一つとする。また、本発明の画像表示システムおよびこれに用いられる画像入力装置並びに画像表示装置は、画像入力装置に入力された画像を所定の通信規格の通信インタフェースを介して接続された画像表示装置に迅速に表示させることを目的の一つとする。さらに、本発明の画像表示システムおよびこれに用いられる画像入力装置並びに画像表示装置は、画像入力装置と画像表示装置とからなるシステムをコンピュータを経由することなく機能させることを目的の一つとする。
【０００８】
【課題を解決するための手段およびその作用・効果】
本発明の画像表示システムおよびこれに用いられる画像入力装置並びに画像表示装置、画像表示の制御方法は、上述の目的の少なくとも一部を達成するために以下の手段を採った。
【０００９】
本発明の画像表示システムは、
画像を入力して複数記憶可能な画像入力装置と画像を表示する画像表示装置とが所定の通信規格の通信インタフェースを介して接続されてなる画像表示システムであって、
（ａ）前記画像入力装置は、
前記記憶された複数の画像のうちのいずれかの画像の表示を前記画像表示装置に指示する画像表示指示手段と、
前記画像表示装置から画像ファイルの送信が指示されたとき、該指示された画像ファイルを前記画像表示装置に送信する画像ファイル送信手段と
を備え、
（ｂ）前記画像表示装置は、
前記画像入力装置の画像表示指示手段による画像の表示の指示を受け付ける画像表示指示受付手段と、
該指示が受け付けられたとき、少なくとも前記表示が指示された画像の画像ファイルの送信を前記画像入力装置に指示する画像ファイル送信指示手段と、
該指示に基づいて前記画像入力装置の画像ファイル送信手段により送信された画像ファイルを受信する画像ファイル受信手段と、
該受信された画像ファイルに基づいて画像の表示を実行する画像表示実行手段と
を備えることを要旨とする。
【００１０】
この本発明の画像表示システムでは、画像入力装置が、記憶された複数の画像のうちのいずれかの画像の表示を所定の通信規格の通信インタフェースを介して接続された画像表示装置に指示し、画像表示装置から画像ファイルの送信が指示されたときに指示された画像ファイルを画像表示装置に送信する。そして、画像表示装置が、画像入力装置による画像の表示の指示を受け付け、この指示が受け付けられたときに少なくとも表示が指示された画像の画像ファイルの送信を画像入力装置に指示し、指示に基づいて画像入力装置により送信された画像ファイルを受信し、受信された画像ファイルに基づいて画像の表示を実行する。即ち、画像入力装置に記憶された画像ファイルを所定の通信規格の通信インタフェースを介して接続された画像表示装置に送信することにより、画像入力装置からの画像を画像表示装置に表示させることができる。
【００１１】
こうした本発明の画像表示システムにおいて、前記画像表示装置は、前記画像ファイル受信手段により受信された画像ファイルを複数記憶可能な画像ファイル記憶手段を備え、前記画像表示装置の画像ファイル送信指示手段は、前記表示が指示された画像に対応する画像ファイルを含む複数の画像ファイルの送信を前記画像入力装置に指示する手段であり、前記画像表示装置の画像表示実行手段は、前記表示が指示された画像に対応する画像ファイルが前記画像ファイル記憶手段に記憶されているときには該記憶された画像ファイルに基づいて画像の表示を実行し、前記表示が指示された画像に対応する画像ファイルが前記画像ファイル記憶手段に記憶されていないときには前記画像ファイル送信指示手段による送信の指示に基づいて前記画像ファイル受信手段により受信された画像ファイルに基づいて画像の表示を実行する手段であるものとすることもできる。画像表示装置は、画像入力装置から送信された複数の画像ファイルを記憶しておき、後に画像の表示の指示がなされたときにその画像に対応する画像ファイルが記憶されているときには、記憶されている画像ファイルに基づいて画像の表示を実行するから、表示が指示された画像を画像表示装置に迅速に表示させることができる。
【００１２】
この態様の本発明の画像表示システムにおいて、前記画像入力装置に記憶された複数の画像は、順序付けられて記憶されてなり、前記画像表示装置の画像ファイル送信指示手段は、前記表示が指示された画像に対応する画像ファイルの前または後の画像ファイルを該表示が指示された画像に対応する画像ファイルと共に送信するよう前記画像表示装置に指示する手段であるとすることもできる。
【００１３】
また、画像表示装置が画像ファイルを複数記憶可能な画像ファイル記憶手段を備える態様の本発明の画像表示システムにおいて、記画像表示装置の画像ファイル送信指示手段は、前記表示が指示された画像に対応する画像ファイルを含む複数の画像ファイルのうちの少なくとも一部が前記画像ファイル記憶手段に記憶されているとき、該複数の画像ファイルの送信の指示に代えて該複数の画像ファイルのうち前記画像ファイル記憶手段に記憶されていない画像ファイルの送信を指示する手段であるものとすることもできる。こうすれば、画像ファイルの送受信を少なくすることができるから、画像ファイルの送受信に伴う処理負担を低減することができる。
【００１４】
更に、画像表示装置が画像ファイルを複数記憶可能な画像ファイル記憶手段を備える態様の本発明の画像表示システムにおいて、前記画像表示装置の画像ファイル送信指示手段は、前記表示が指示された画像に対応する画像ファイルを含む複数の画像ファイルのうち、前記表示が指示された画像に対応する画像ファイルが、該画像ファイル以外の画像ファイルに優先して送信されるよう指示する手段であるものとすることもできる。こうすれば、複数の画像ファイルのうち表示が指示された画像の画像ファイルが優先して受信されるから、表示が指示された画像を迅速に画像表示装置に表示させることができる。
【００１５】
或いは、画像表示装置が画像ファイルを複数記憶可能な画像ファイル記憶手段を備える態様の本発明の画像表示システムにおいて、前記画像表示装置の画像ファイル送信指示手段は、前記表示が指示された画像に対応する画像ファイルを含む複数の画像ファイルのうち、前記表示が指示された画像に対応する画像ファイル以外の画像ファイルが、前記画像表示実行手段により前記表示が指示された画像の表示の準備が整った後に送信されるよう指示する手段であるものとすることもできる。こうすれば、表示が指示された画像の表示処理を妨げることなく、表示が指示された画像の画像ファイル以外の画像ファイルを受信して記憶しておくことができる。ここで、「画像の表示の準備が整った後」は、表示が指示された画像の表示が実行された後に限られず、表示が指示された画像の画像ファイルを受信して画像の表示の処理を実行している間も含まれる意である。
【００１６】
本発明の画像表示システムにおいて、前記画像入力装置は、前記記憶された複数の画像をサムネイル画像として表示可能な画像表示装置と、該表示されたサムネイル画像を用いて前記画像表示装置に表示させる画像を選択可能な選択手段とを備えるものとすることもできる。こうすれば、画像入力装置の操作性をより向上させることができる。
【００１７】
また、本発明の画像表示システムにおいて、前記画像入力装置は、画像を撮影により入力する撮影装置であるものとすることもできる。
【００１８】
更に、本発明の画像表示システムにおいて、前記所定の通信規格の通信インタフェースは、一方が他方を従属的に制御するよう通信するインタフェースであり、前記画像入力装置は、前記所定の通信規格に従って従属的に制御される側の従属側通信手段を備え、前記画像表示装置は、前記所定の通信規格に従って従属的に制御する側の非従属側通信手段を備えるものとすることもできる。画像入力装置と画像表示装置との通信は画像表示装置をホストとするから、画像入力装置の小型化を図ることができる。
【００１９】
本発明の画像入力装置は、
画像を入力して複数記憶可能な画像入力装置と画像を表示する画像表示装置とが所定の通信規格の通信インタフェースを介して接続されてなる画像表示システムにおける画像入力装置であって、
前記記憶された複数の画像のうちのいずれかの画像の表示を前記画像表示装置に指示する画像表示指示手段と、
前記表示の指示を受けると共に画像ファイルの送信を受けて画像の表示を実行する画像表示装置から少なくとも前記表示が指示された画像の画像ファイルの送信が指示されたとき、該指示された画像ファイルを前記画像表示装置に送信する画像ファイル送信手段と
を備えることを要旨とする。
【００２０】
この本発明の画像入力装置では、記憶された複数の画像のうちのいずれかの画像の表示を所定の通信規格の通信インタフェースを介して接続された画像表示装置に指示し、この表示の指示を受け付けると共に画像ファイルの送信を受けて画像の表示を実行する画像表示装置から少なくとも表示が指示された画像の画像ファイルの送信が指示されたとき、指示された画像ファイルを画像表示装置に送信する。即ち、画像入力装置に記憶された画像ファイルを所定の通信規格の通信インタフェースを介して接続された画像表示装置に送信することにより、画像表示装置に画像を表示させることができる。
【００２１】
本発明の画像表示装置は、
画像を入力して複数記憶可能な画像入力装置と画像を表示する画像表示装置とが所定の通信規格の通信インタフェースを介して接続されてなる画像表示システムにおける画像表示装置であって、
前記画像入力装置に記憶された複数の画像のうちのいずれかの画像の表示の指示を該画像入力装置から受け付ける画像表示指示受付手段と、
該指示が受け付けられたとき、少なくとも前記表示が指示された画像の画像ファイルの送信を前記画像入力装置に指示する画像ファイル送信指示手段と、
該指示に基づいて前記画像入力装置の画像ファイル送信手段により送信された画像ファイルを受信する画像ファイル受信手段と、
該受信された画像ファイルに基づいて画像の表示を実行する画像表示実行手段と
を備えることを要旨とする。
【００２２】
この本発明の画像表示装置では、所定の通信規格の通信インタフェースを介して接続された画像入力装置に記憶された複数の画像のうちのいずれかの画像の表示の指示を画像入力装置から受け付け、この指示が受け付けられたとき、少なくとも表示が指示された画像の画像ファイルの送信を画像入力装置に指示し、この指示に基づいて画像入力装置により送信された画像ファイルを受信すると共に受信された画像ファイルに基づいて画像の表示を実行する。即ち、所定の通信規格の通信インタフェースを介して接続された画像入力装置から画像ファイルの送信を受けることにより、画像ファイルに基づいて画像を表示させることができる。
【００２３】
本発明の画像表示の制御方法は、
画像を入力して複数記憶可能な画像入力装置と画像を表示する画像表示装置とが所定の通信規格の通信インタフェースを介して接続されてなる画像表示システムにおける前記画像表示装置による画像の表示を制御する画像表示の制御方法であって、
前記画像入力装置を、前記記憶された複数の画像のうちのいずれかの画像の表示が前記画像表示装置に指示され、前記画像表示装置から画像ファイルの送信が指示されたときに該送信が指示された画像ファイルが前記画像表示装置に送信されるよう制御し、
前記画像表示装置を、前記画像入力装置から画像の表示の指示が受け付けられ、該指示が受け付けられたときに少なくとも前記表示が指示された画像の画像ファイルの送信が前記画像入力装置に指示され、該指示に基づいて前記画像入力装置により送信された画像ファイルが受信されると共に該受信された画像ファイルに基づいて画像の表示が実行されるよう制御することを要旨とする。
【００２４】
この本発明の画像表示の制御方法では、画像入力装置を、記憶された複数の画像のうちのいずれかの画像の表示が画像表示装置に指示され、画像表示装置から画像ファイルの送信が指示されたときに送信が指示された画像ファイルが画像表示装置に送信されるよう制御する。そして、画像入力装置に所定の通信規格の通信インタフェースを介して接続された画像表示装置を、画像入力装置から画像の表示の指示が受け付けられ、この指示が受け付けられたときに少なくとも表示が指示された画像の画像ファイルが送信されるよう画像入力装置に指示され、この指示に基づいて画像入力装置により送信された画像ファイルが受信されると共に受信された画像ファイルに基づいて画像の表示が実行されるよう制御する。即ち、画像入力装置に記憶された画像ファイルを所定の通信規格の通信インタフェースを介して接続された画像表示装置に送信することにより、画像入力装置からの画像を画像表示装置に表示させることができる。
【００２５】
【発明の実施の形態】
次に、本発明の実施の形態を実施例を用いて説明する。図１は、本発明の一実施例である画像表示システム２０の構成の概略を示す構成図である。図示するように、実施例の画像表示システム２０は、画像入力装置としてのデジタルカメラ３０と画像表示装置４０とがＵＳＢ通信インタフェースケーブル５０により接続されて構成されている。
【００２６】
デジタルカメラ３０は、操作部３６からの入力を受けて各部をコントロールするカメラコントローラ３１を中心として構成されており、被写体を表示すると共に各種操作に必要な表示を行なうカラー液晶表示パネル３２と、被写体を撮影して電気信号に変換する撮影装置３３と、撮影装置３３からの電気信号に基づいてカメラコントローラ３１により作成された画像ファイルに画像ファイルを識別するためのファイルＩＤを付与して記憶するメモリ３４と、ＵＳＢホストと通信するためのＵＳＢ規格におけるマスストレージクラスのＵＳＢデバイスコントローラ３５とを備える。操作部３６は、例えば、図２に示すように、シャッターボタン３６ａをはじめとしてモードダイヤル３６ｂや十字ボタン３６ｃ，メニューボタン３６ｄ，決定ボタン３６ｅなど種々の操作ボタンからなっている。特に、操作部３６を構成する操作ボタンのうちモードダイヤル３６ｂは、被写体を撮影するための「撮影モード」や撮影した被写体をカラー液晶表示パネル３２で再生するための「再生モード」など種々の動作モードをダイヤル操作により選択できるようになっている。
【００２７】
画像表示装置４０は、図１に示すように、各部をコントロールする画像表示コントローラ４１を中心に構成されており、画像を表示する画像表示部４２と、画像表示部４２に表示するための画像ファイルを複数記憶可能なメモリ４３と、ＵＳＢデバイスと通信するためのＵＳＢホストコントローラ４５とを備える。この画像表示装置４０としては、例えば、図３に例示するプロジェクタなどの表示装置として構成することができる。
【００２８】
図４は、デジタルカメラ３０のメモリ３４の記憶構造を示す図である。図４に示すように、メモリ３４は、ルートディレクトリ（Ｒｏｏｔ）の下に静止画像保存用のディレクトリ（ＤＣＩＭ）が作成されており、ＤＣＩＭディレクトリの下に画像ファイル保存用のディレクトリ（１００ＡＢＣ，１０２ＡＢＣなど）が作成されている。カメラコントローラ３１により作成された画像ファイル（ＡＢＣ０００１．ＪＰＧやＡＢＣ０００２．ＪＰＧ、ＡＢＣ０００３．ＪＰＧ，ＡＢＣ０００４．ＪＰＧなど）は、この画像ファイル保存用のディレクトリに格納されるようになっている。画像ファイルは、画像ファイルのパス情報に対応するファイルＩＤ（番号）、具体的には、画像ファイルが格納されるＤＣＩＭディレクトリのディレクトリ番号と画像ファイルのファイル番号とから構成される番号（例えば、１００ＡＢＣディレクトリに格納されている画像ファイル「ＡＢＣ０００１．ＪＰＧ」のファイルＩＤは「１０００００１」）により順序付けられている。なお、画像ファイルの順序付けは、ファイルＩＤを用いて行なうものに限られず、他の如何なる手法、例えば、撮影日時や操作者の操作により任意に順序付けられたものなどを用いて行なうものとしても構わない。
【００２９】
次に、実施例の画像表示システム２０における通信、即ちデジタルカメラ３０と画像表示装置４０とによる通信について説明する。実施例のデジタルカメラ３０と画像表示装置４０とによる通信は、ＵＳＢデバイスコントローラ３５とＵＳＢホストコントローラ４５とを用いて行なわれる。ＵＳＢデバイスコントローラ３５とＵＳＢホストコントローラ４５との通信は、図５に例すように、各種コマンドの伝送に用いられるコントロールパイプ５１と、画像ファイルなどのデータの伝送に用いられるバルクパイプ５２と、インタラプトパイプ５３の３つの論理的なパイプ（通信チャネル）を用いて行なわれる。これらのパイプのうちインタラプトパイプ５３は、ＵＳＢ規格ではマスストレージクラスにおける通信に関しては何ら規定されていない。実施例の画像表示システム２０では、このインタラプトパイプ５３を用いることにより、画像表示装置４０がＵＳＢホストであるにも拘わらず、デジタルカメラ３０の操作によって画像表示装置４０を動作させるのである。
【００３０】
具体的には、まず、画像表示装置４０からインタラプトパイプ５３を用いて人の操作に要する時間に対して極めて短い時間毎（例えば１ｍｓｅｃ毎）にデジタルカメラ３０側のリクエストを問い合わせるコマンド（実施例では、インターラプトインコマンド［Ｉｎｔｅｒｒｕｐｔ　Ｉｎ　コマンド］）をデジタルカメラ３０側に送信させ、デジタルカメラ３０から、このインターラプトインコマンドを受ける毎に、何らの要求もない場合には何も要求がないことを意味する「ＮＡＫ」を応答として送信させ、何らかの要求がある場合にはその要求に対応した制御コマンドを応答として送信させる。そして、画像表示装置４０がインターラプトインコマンドの応答としてデジタルカメラ３０から制御コマンドを受信したときには、画像表示装置４０の画像表示コントローラ４１でその制御コマンドを解析し、制御コマンドに対応する動作を実行するのである。以下、こうした通信を用いて、デジタルカメラ３０のメモリ３４に記憶された画像ファイルをデジタルカメラ３０から画像表示装置４０に送信して、画像表示装置４０で画像を表示させる際の処理について説明する。
【００３１】
デジタルカメラ３０からの画像を画像表示装置４０で表示させる際の処理は、操作者による操作部３６の操作により画像表示装置４０への画像表示（再生）が要求され画像表示装置４０に表示させる画像が選択されたときに実行される。画像表示装置４０への画像表示の要求は、例えば、モードダイヤル３６ｂの操作により動作モードとして「再生モード」を選択すると共にメニューボタン３６ｄを押すことによりカラー液晶表示パネル３２にメニューを表示させ、表示させたメニューから「外部再生」を十字ボタン３６ｃの操作により選択すると共に決定ボタン３６ｅを押すことにより行なわれる。また、画像表示装置４０に表示させる画像の選択は、例えば、上記画像表示の要求によりメモリ３４に記憶された画像がサムネイル表示されたときに、サムネイル表示を用いて十字ボタン３６ｃの操作により所望の画像を選択すると共に決定ボタン３６ｅを押すことにより行なわれる。このときのサムネイル表示は、ファイルＩＤの順に整列して表示される。カラー液晶表示パネル３２のサムネイル表示の一例を図６に示す。
【００３２】
画像表示装置４０への画像の表示が要求されると、デジタルカメラ３０のカメラコントローラ３１は、画像表示装置４０への画像の表示を要求するための制御コマンドを生成すると共にこの制御コマンドをインターラプトインコマンドに対する応答として画像表示装置４０に送信する。画像表示装置４０では、この制御コマンドの解析結果の動作として、デジタルカメラ３０の操作により選択された画像であってストレージクラスとしてＵＳＢ接続されているデジタルカメラ３０のメモリ３４に記憶されている画像のファイルＩＤを読み出すと共に読み出したファイルＩＤをキーとしてデジタルカメラ３０のメモリ３４に記憶されている画像ファイルを読み出して、読み出した画像ファイルに基づいて画像表示部４２に画像を表示する処理を行なう。読み出した画像ファイルは画像表示装置４０のメモリ４４に記憶される。また、画像を表示する処理を行なった後には、表示が要求されて読み出した画像ファイルに対してファイルＩＤの順序が１つ前の画像ファイルと順序が１つ後の画像ファイル（例えば、表示が要求されたＩＤ「１０００００４」の画像ファイルに対してＩＤ「１０００００３」の画像ファイルとＩＤ「１０００００５」の画像ファイル）をデジタルカメラ３０のメモリ３４から読み出して画像表示装置４０のメモリ４４に記憶する処理（画像ファイルの先読み処理）を行なう。これは、後に画像表示装置４０に表示されている画像に対して順序が１つ後の画像の表示または１つ前の画像の表示の要求がなされたときに、画像表示装置４０のメモリ４４に記憶された画像ファイルを用いて迅速に画像の表示を行なえるようにするためである。また、表示が要求された画像ファイルに対して順序が１つ前の画像ファイルと１つ後の画像ファイルの２つの画像ファイルのみを読み出すのは、画像表示装置４０のメモリ４４に記憶させておく画像ファイルの数を少なくしてメモリ４４の使用量を少なくするためである。
【００３３】
その後、カラー液晶表示パネル３２のサムネイル表示を用いて画像表示装置４０に表示させる画像の変更が要求されると、デジタルカメラ３０のカメラコントローラ３１は、画像表示装置４０への画像表示の変更を要求するための制御コマンドを生成すると共にこの制御コマンドをインターラプトインコマンドの応答として画像表示装置４０に送信する処理を行なう。ここで、画像表示装置４０に表示させる画像の変更の要求は、例えば、図６に例示するサムネイル表示を用いて十字ボタン３６ｃの操作により所望の画像を選択すると共に決定ボタン３６を押すことにより行なうことができる。画像表示の変更を要求する制御コマンドを受信した画像表示装置４０では、この制御コマンドの解析結果の動作として、デジタルカメラ３０による操作により選択された変更画像のファイルＩＤをデジタルカメラ３０のメモリ３４から読み出すと共に読み出したファイルＩＤをキーとして画像表示装置４０のメモリ４４に記憶された画像ファイルを検索する処理を行なう。検索の結果、読み出したファイルＩＤに対応する画像ファイルが画像表示装置４０のメモリ４４に記憶されているときには、そのメモリ４４から画像ファイルを読み出して画像表示部４２に表示する処理を行なう。これにより、画像ファイルを読み出しをデジタルカメラ３０のメモリ３４から行なう場合に比べて、処理を迅速化することができる。一方、読み出したファイルＩＤに対応する画像ファイルが画像表示装置４０のメモリ４４に記憶されていないときには、そのファイルＩＤに基づいて対応する画像ファイルをデジタルカメラ３０のメモリ３４から読み出し、読み出した画像ファイルに基づいて画像を画像表示部４２に表示する処理を行なうことになる。
【００３４】
こうして画像を表示する処理が行なわれた後、表示された画像の画像ファイルに対してファイルＩＤの順序が１つ前の画像ファイルと順序が１つ後の画像ファイルが画像表示装置４０のメモリ４４に記憶されているか否かを判定し、記憶されていないと判定されたときには、その記憶されていない画像ファイルをデジタルカメラ３０のメモリ３４から読み出し、読み出した画像ファイルに基づいて画像表示装置４０のメモリ４４に記憶された画像ファイルを更新する処理を行なう。これにより、画像表示装置４０のメモリ４４には、画像表示部４２に表示されている画像の画像ファイルとファイルＩＤの順序が１つ前の画像ファイルと１つ後の画像ファイルの３つの画像ファイルが記憶されることになる。したがって、デジタルカメラ３０の操作により画像表示装置４０の画像表示部４２に表示されている画像に対して１つ後の画像か１つ前の画像を選択して表示を要求すれば、画像表示装置４０ではメモリ４４に記憶されている画像ファイルを読み込んで画像の表示処理を行なうことができ、処理の迅速化を図ることができるのである。
【００３５】
次に、こうしたデジタルカメラ３０と画像表示装置４０との通信の様子について更に詳細に説明する。図７はデジタルカメラ３０と画像表示装置４０との間にＵＳＢによる通信接続が確立される際の通信手順の一例を示すシーケンス図である。デジタルカメラ３０と画像表示装置４０とが電源が投入されている状態でＵＳＢ通信インタフェースケーブル５０により接続されたり、デジタルカメラ３０と画像表示装置４０とがＵＳＢ通信インタフェースケーブル５０により接続された状態で電源が投入されると、図７に例示したシーケンスに示すように、まず、ＵＳＢの通信接続を確立し、画像表示装置４０のＵＳＢホストコントローラ４５は、デジタルカメラ３０のＵＳＢデバイスコントローラ３５からＵＳＢデバイスとしての構成を記述したデバイスディスクリプタを取得する（Ｓ１００）。このデバイスディスクリプタには、デジタルカメラ３０がマスストレージクラスのデバイスであることやデジタルカメラ３０が使用するＵＳＢのエンドポイントを列挙したストリングディスクリプタなどを含むインタフェースディスクリプタが含まれている。実施例では、エンドポイントを列挙したストリングディスクリプタには、追加のエンドポイントとして「Ｉｎｔｅｒｒｕｐｕｔ　Ｉｎ」エンドポイントが記述されている。この結果、実施例における画像表示装置４０のＵＳＢホストコントローラ４５は、インタフェースディスクリプタおよびストリングディスクリプタから、デジタルカメラ３０がマスストレージクラスのデバイスであって、インターラプトインコマンド（ＵＳＢデバイス側のリクエストを問い合わせるコマンド）を使用するデバイスであることを認識することができる。なお、デジタルカメラ３０を通常のコンピュータのＵＳＢポートに接続したときには、同様にデバイスディスクリプタがコンピュータに送られるが、コンピュータに組み込まれたＵＳＢホストコントローラは追加の「Ｉｎｔｅｒｒｕｐｕｔ　Ｉｎ」エンドポイントを無視するから、デジタルカメラ３０はコンピュータに対して通常のマスストレージクラスのデバイスとして動作することになる。
【００３６】
こうしてデジタルカメラ３０と画像表示装置４０との間にＵＳＢの通信接続が確立すると、画像表示装置４０は、極めて短時間の時間間隔（例えば、１ｍｓｅｃ間隔）でインターラプトインコマンドをインタラプトパイプ５３を用いてデジタルカメラ３０へ送信する処理を開始すると共に（Ｓ１０２やＳ１０８）、通信接続が確立されてから所定の時間内にプロトコルを確認するための「Ｃｏｎｆｉｒｍａｔｉｏｎ」コマンドを送信する（Ｓ１０６）。このコマンドの送信により、画像表示装置４０がインターラプトインコマンドを使用するタイプの通信プロトコルを用いることやプロトコルバージョンなどを通知する。
【００３７】
デジタルカメラ３０では、インターラプトインコマンドを受信する毎にその時点で何らかの制御コマンドが発生していないかを調べ、何らの制御コマンドも発生していないときには要求なしを意味する「ＮＡＫ」を、何らかの制御コマンドが発生しているときには発生している制御コマンドを、インターラプトインコマンドの応答としてコントロールパイプ５１を用いて画像表示装置４０に送信する。図７の例では、Ｓ１０８のインターラプトインコマンドに対してデジタルカメラ３０で画像表示装置４０の状態を取得するためのリクエストとしての制御コマンドである「ＳｔａｔｕｓＲｅｑ」がその応答としてデジタルカメラ３０から画像表示装置４０に送信される（Ｓ１１０）。画像表示装置４０は、この制御コマンドに対して装置の状態を調べ、装置が表示要求を受け付け可能な状態であるときには、装置の状態の送信の通知を知らせるコマンドである「ＳＥＮＤ＿ＳＴＡＴＵＳ」をコントロールパイプ５１を用いてデジタルカメラ３０に送信すると共に（Ｓ１１２）、装置が表示要求を受け付け可能な状態であるコードである「ＰＬＡＹ＿ＯＫ」をバルクパイプ５２を用いてデジタルカメラ３０のメモリ３４内の所定領域に書き込む（Ｓ１１４）。デジタルカメラ３０では、こうして得られた画像表示装置４０の状態（画像の表示要求を受け付け可能な状態）をカラー液晶表示パネル３２に表示するのである。
【００３８】
図８はデジタルカメラ３０から画像の表示要求がなされて画像表示装置４０で画像の表示が実行される際の通信手順の一例を示すシーケンス図である。このシーケンスは、画像表示装置４０への画像の表示の要求がなされることにより行なわれる。まず、デジタルカメラ３０では、カメラコントローラ３１の処理により画像の表示要求が発生したことを通知するためのリクエストである制御コマンドの「ＰｌａｙＲｅｑ」が発生する。この制御コマンドは、画像表示装置４０から送信されるインターラプトインコマンド（Ｓ２００）の応答としてコントロールパイプ５１を用いてデジタルカメラ３０から画像表示装置４０に送信される（Ｓ２０２）。画像表示装置４０は、受信した「ＰｌａｙＲｅｑ」コマンドに対応して画像表示要求を取得するためのコマンドである「ＧＥＴ＿ＰＬＡＹＲＥＱ」をコントロールパイプ５１を用いてデジタルカメラ３０に送信すると共に（Ｓ２０４）、表示が要求された画像のファイルＩＤ（実施例では、「１０００００４」）をデジタルカメラ３０のメモリ３４からバルクパイプ５２を介して読み出し、読み出したファイルＩＤをキーとして画像ファイルをデジタルカメラ３０のメモリ３４から読み出し（Ｓ２０６，Ｓ２０８）て、読み出した画像ファイルに基づいて画像表示部４２に画像を表示する処理を行なう。画像を表示する処理が行なわれた後には、表示された画像の画像ファイルに対してファイルＩＤの順序が１つ前と１つ後の画像ファイル（実施例では、上記「１０００００４」の画像ファイルに対してファイルＩＤが「１０００００３」と「１０００００５」の画像ファイル）をデジタルカメラ３０のメモリ３４から前もって読み出し（Ｓ２１０）、読み出した画像ファイルを画像表示装置４０のメモリ４４の所定領域に記憶する。
【００３９】
こうして表示要求を受け入れた後に画像表示装置４０から送信されるインターラプトインコマンドに対して、デジタルカメラ３０から装置の状態を取得するためのリクエストの制御コマンドである「ＳｔａｔｕｓＲｅｑ」がその応答として送信されると（Ｓ２１４）、画像表示装置４０は、装置の状態の送信の通知を知らせるコマンドである「ＳＥＮＤ＿ＳＴＡＴＵＳ」をコントロールパイプ５１を用いてデジタルカメラ３０に送信すると共に（Ｓ２１６）、コマンドが正常に受け付けられたことを示すコードである「ＣＭＤＡＣＰＴ」をコントロールパイプ５１を用いてデジタルカメラ３０に送信する（Ｓ２１８）。なお、図中のコード「ＣＭＤＡＣＰＴ」の直後の「ｉｄ０１」は、表示ジョブをデジタルカメラ３０側で識別するためのｉｄ番号である。以下、他のコードの直後の「ｉｄ０１」についても同様である。デジタルカメラ３０では、「ｐｌａｙＲｅｑ」コマンドが正常に受け付けられたことを示す「ＣＭＤＡＣＰＴ」コードを受信した後には、後述する表示画像の変更を要求するための「ＣＨＩｍａｇｅＲｅｑ」コマンド或いは画像表示の終了を要求するための「ＣｏｍｐｌｅｔｅＲｅｑ」コマンドが生成していない限り、「ＳＥＮＤ＿ＳＴＡＴＵＳ」コマンドを送信し続ける。
【００４０】
デジタルカメラ３０に対して表示画像の変更要求がなされたときには、デジタルカメラ３０では、画像表示装置４０への表示画像の変更を要求する制御コマンドとしての「ＣＨＩｍａｇｅＲｅｑ」を生成し、インターラプトインコマンドの応答として画像表示装置４０に送信する（Ｓ２２２）。画像表示装置４０では、受信した「ＣＨＩｍａｇｅＲｅｑ」コマンドに対応して変更表示要求を取得するためのコマンドである「ＧＥＴ＿ＣＨＩＭＡＧＥＲＥＱ」をコントロールパイプ５１を用いてデジタルカメラ３０に送信すると共に（Ｓ２２４）、変更に係る画像のファイルＩＤ（実施例では、「１０００００５」）をバルクパイプ５２を介して読み出す（Ｓ２２６）。そして、画像表示装置４０の画像表示コントローラ４１の処理により、読み出したファイルＩＤをキーとして画像表示装置４０のメモリ４４に記憶されている画像ファイルを検索し、検索の結果、取得したファイルＩＤに対応する画像ファイルが存在するときにはその画像ファイルをメモリ４４から読み出して画像を画像表示部４２に表示する処理を行なう。実施例では、ファイルＩＤ「１０００００５」に対応する画像ファイルは画像表示装置４０のメモリ４４に記憶されているから、このメモリ４４から画像ファイルを読み出して画像の表示処理が行なわれることになる。そして、画像の表示処理が行なわれた後には、表示された画像の画像ファイル（ファイルＩＤは「１０００００５」）に対してファイルＩＤの順序が１つ前（「１０００００４」）の画像ファイルと順序が１つ後（「１０００００６」）の画像ファイルが画像表示装置４０のメモリ４４に記憶されているか否かを判定し、記憶されていないと判定されたときには、その記憶されていない画像ファイルをデジタルカメラ３０のメモリ３４から読み出し、読み出した画像ファイルに基づいて画像表示装置４０のメモリ４４に記憶された画像ファイルを更新する。ここでは、ファイルＩＤが「１０００００４」の画像ファイルが画像表示装置４０のメモリ４４に記憶されているから、ファイルＩＤが「１０００００６」の画像ファイルのみをデジタルカメラ３０のメモリ３４から前もって読み出し（Ｓ２２８）、ファイルＩＤが「１０００００３」の画像ファイルに上書きしてファイルＩＤが「１０００００６」の画像ファイルがメモリ４４に記憶されることになる。なお、ファイルＩＤが「１０００００３」の画像ファイルをそのまま記憶、即ち過去に取得した画像ファイルをそのまま記憶しておくものとしてもよいのは勿論である。
【００４１】
こうした表示画面の変更動作の後、画像表示の終了要求がなされたとき、例えば、メニューボタン３６ｄが押されることにより表示されるメニュー画面において十字ボタン３６ｃの操作により「外部再生終了」が選択されて決定ボタン３６ｅが押されたときには、デジタルカメラ３０からインターラプトインコマンドの応答として画像表示の終了を要求するための「ＣｏｍｐｌｅｔｅＲｅｑ」コマンドを送信し（Ｓ２３２）、送信を受けた画像表示装置４０は、画像の表示を終了する処理を行なう。そして、終了要求を受け付けらた後のインターラプトインコマンドに対応してデジタルカメラ３０から送信される「ＳｔａｔｕｓＲｅｑ」コマンドが送信されると（Ｓ２３６）、装置の状態の送信の通知を知らせる「ＳＥＮＤ＿ＳＴＡＴＵＳ」コマンドをコントロールパイプ５１を介してデジタルカメラ３０に送信すると共に（Ｓ２３８）、コマンドが正常に受け付けられて画像表示を終了したことを示すコードである「ＣＯＭＰｉｄ０１」をデジタルカメラ３０に送信して（Ｓ２４０）、画像表示処理を終了する。
【００４２】
以上説明した実施例の画像表示システム２０によれば、デジタルカメラ３０側からの画像の表示の要求がなされたとき、画像表示装置４０では表示が要求されている画像のファイルＩＤをデジタルカメラ３０のメモリ３４から取得すると共に取得したファイルＩＤに対応する画像ファイルをデジタルカメラ３０のメモリ３４から取得して画像を表示するから、デジタルカメラ３０に記憶された画像ファイルをＵＳＢ接続された画像表示装置４０に送信して画像を表示させることができる。しかも、画像表示装置４０では、表示が指示された画像ファイルに対してファイルＩＤの順序が１つの前の画像ファイルおよび１つ後の画像ファイルの２つの画像ファイルも併せて取得してメモリ４４に記憶しておくから、その後に画像の表示を１つ次の画像または１つ前の画像に変更する要求がなされたときにはデジタルカメラ３０のメモリ３４ではなく画像表示装置４０のメモリ４４に記憶された画像ファイルに基づいて画像を表示させることができ、表示処理の迅速化を図ることができる。また、これら２つの画像ファイルの取得は、表示が要求された画像の表示処理の後に行なうから、本来の表示が要求された画像の表示処理を妨げることがない。さらに、デジタルカメラ３０をＵＳＢ規格のマスストレージクラスを用い、画像表示装置４０とのＵＳＢ接続の際にだけインターラプトインコマンドを用いて処理を行なうものとしたから、デジタルカメラ３０を通常のマスストレージクラスのＵＳＢデバイスとしてコンピュータに接続することができる。
【００４３】
ここで、実施例の画像表示システム２０では、デジタルカメラ３０が画像を入力して複数記憶可能な画像入力装置に相当し、ＵＳＢが接続された装置の一方が他方を従属的に制御する所定の通信規格に相当する。また、デジタルカメラ３０のＵＳＢデバイスコントローラ３５が所定の通信規格における従属的に制御される側の従属側通信手段に相当し、カメラコントローラ３１が記憶された画像のうちのいずれかの画像の表示を画像表示装置４０に指示する画像表示指示手段と画像ファイルを画像表示装置４０に送信する画像ファイル送信手段とに相当する。さらに、画像表示装置４０のＵＳＢホストコントローラ４５が所定の通信規格における従属的に制御する側の非従属側通信手段に相当し、画像表示コントローラ４１が画像入力装置による画像の表示の指示を受け付ける画像表示指示受付手段と画像ファイルの送信を画像入力装置に指示する画像ファイル送信指示手段と画像入力装置から送信された画像ファイルを受信する画像ファイル受信手段と受信された画像ファイルに基づいて画像の表示を実行する画像表示実行手段とに相当する。
【００４４】
実施例の画像表示システム２０では、表示が要求された画像ファイルに対してファイルＩＤの順序が１つ前と１つ後の画像ファイルの読み出しを、表示が要求された画像の表示処理が終わった後に行なうものとしたが、表示が要求された画像の画像ファイルをデジタルカメラ３０のメモリ３４から取得した後であれば、画像の表示の準備が整ったとして表示が要求された画像の表示処理が終わる前に読み出すものとしても構わない。
【００４５】
実施例の画像表示システム２０では、デジタルカメラ３０のメモリ３４から読み出して画像表示装置４０のメモリ４４に先読みで記憶しておく画像ファイルとして、表示が要求された画像の画像ファイルに対してファイルＩＤの順序が１つ前の画像ファイルと１つ後の画像ファイルを記憶するものとしたが、ファイルＩＤの順序が１つ後の画像ファイルのみを取得して記憶するものとしたり、ファイルＩＤの順序が１つ前の画像ファイルのみを取得して記憶するものとしても構わない。また、上記以外のファイルＩＤの画像ファイルを取得して記憶するものとしても差し支えない。
【００４６】
実施例の画像表示システム２０では、表示が要求された画像ファイル以外の画像ファイルのデジタルカメラ３０のメモリ３４からの読み出し（先読み）を、画像表示装置４０のメモリ４４に記憶されていないかを確認してから行なうものとしたが、画像表示装置４０のメモリ４４に記憶されているか否かに拘わらずデジタルカメラ３０のメモリ３４からの読み出しを行なうものとしても差し支えない。即ち、画像表示装置４０のメモリ４４に記憶されている画像ファイルをデジタルカメラ３０のメモリ３４から再取得するものとしても差し支えない。
【００４７】
実施例の画像表示システム２０では、接続された装置の一方が他方を従属的に制御する所定の通信規格としてＵＳＢを用いたが、画像表示装置４０がデジタルカメラ３０を従属的に制御する通信規格であれば如何なる通信規格でも用いることができる。
【００４８】
実施例の画像表示システム２０では、画像入力装置としてデジタルカメラ３０を一例として挙げて説明したが、画像を入力して複数記憶可能な装置であれば、如何なる装置であっても構わない。
【００４９】
実施例では、本発明を画像表示システム２０として説明したが、システムの形態に限られるものではなく、画像表示システム２０に用いるデジタルカメラ３０や画像表示装置４０の形態としてもよい。また画像表示システム２０を構成するデジタルカメラ３０や画像表示装置４０を制御する制御方法の形態としてよい。
【００５０】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】実施例の画像表示システム２０の構成の概略を示す構成図。
【図２】デジタルカメラ３０の外観構成を例示する構成図。
【図３】画像表示装置４０の外観構成を例示する構成図。
【図４】デジタルカメラ３０のメモリ３４の記憶構造を示す説明図。
【図５】コマンド伝送等に使用する論理的なパイプを例示する説明図。
【図６】サムネイル表示の一例を示す図。
【図７】通信接続が確立される際の通信手順の一例を示すシーケンス図。
【図８】画像表示の実行の際の通信手順の一例を示すシーケンス図。
【符号の説明】
２０　画像表示システム、３０　デジタルカメラ、３１　カメラコントローラ、３２　カラー液晶表示パネル、３３　撮影装置、３４　メモリ、３５　ＵＳＢデバイスコントローラ、３６　操作部、３６ａ　シャッターボタン、３６ｂ　モードダイヤル、３６ｃ　十字ボタン、３６ｄ　メニューボタン、３６ｅ　決定ボタン、４０　画像表示装置、４１　画像表示コントローラ、４２　画像表示部、４４　メモリ、４５　ＵＳＢホストコントローラ、５０　ＵＳＢ通信インタフェースケーブル、５１　コントロールパイプ、５２　バルクパイプ、５３　インタラプトパイプ。
【図１】
2004147014.tif 000003
【図２】
2004147014.tif 000004
【図３】
2004147014.tif 000005
【図４】
2004147014.tif 000006
【図５】
2004147014.tif 000007
【図６】
2004147014.tif 000008
【図７】
2004147014.tif 000009
【図８】
2004147014.tif 000010